【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器(UE)からUE能力メッセージおよび報告メッセージをネットワークエンティティにおいて受信するステップであって、前記UE能力メッセージは、前記UEが免許不要スペクトルで通信することが可能であるかどうかを示し、前記報告メッセージは、前記UEがワイドローカルエリアネットワーク(WLAN)測定をサポートするかどうかを示す、ステップと、
前記UE能力メッセージおよび前記報告メッセージに基づいて、前記UEが前記免許不要スペクトルで通信することが可能でありWLAN測定をサポートするかどうかを判断するステップと、
前記UEが前記免許不要スペクトルで通信することが可能でありWLAN測定をサポートするとの前記判断に従って、測定コンフィギュレーション識別子を含む測定コンフィギュレーションメッセージを前記UEに送信するステップであって、前記測定コンフィギュレーションメッセージは、前記測定コンフィギュレーション識別子に基づいて、前記免許不要スペクトル上で通信するように構成され、前記ネットワークエンティティに知られていない1つまたは複数のWLANアクセスポイントを含む1つまたは複数のWLANアクセスポイントに対する測定を前記UEが実行するトリガとなる、ステップと
を含む方法。
【請求項２】
前記測定コンフィギュレーションメッセージは、前記測定コンフィギュレーション識別子に対応する前記UEの地理的エリア内の各WLANアクセスポイントに対する測定を前記UEが実行するトリガとなる、請求項1に記載の方法。
【請求項３】
前記測定コンフィギュレーションメッセージは、前記測定コンフィギュレーション識別子に対応する前記免許不要スペクトルでの各WLANアクセスポイントに対する測定を前記UEが実行するトリガとなる、請求項1に記載の方法。
【請求項４】
前記測定コンフィギュレーションメッセージは、前記測定コンフィギュレーション識別子に対応する前記UEの地理的エリア内の前記1つまたは複数のWLANアクセスポイントのうちのWLANアクセスポイントのサブセットに対する測定を前記UEが実行するトリガとなる、請求項1に記載の方法。
【請求項５】
前記測定コンフィギュレーションメッセージは、前記測定コンフィギュレーション識別子に対応する各WLANアクセスポイントに対するWLAN測定を前記UEが実行するトリガとなる、請求項1に記載の方法。
【請求項６】
測定目的メッセージを、別個に、または前記測定コンフィギュレーションメッセージとともに前記UEに送信するステップをさらに含み、前記測定目的メッセージは、前記測定がロングタームエボリューション(LTE)WLANアグリゲーションまたはインターワーキングに使用されるべきではないこと、あるいは前記測定が前記ネットワークエンティティによるチャネル選択を支援するために使用されることのうちの少なくとも1つを示す、請求項1に記載の方法。
【請求項７】
前記測定コンフィギュレーションメッセージは、前記測定コンフィギュレーション識別子を含むことなく前記1つまたは複数のWLANアクセスポイントに対する測定を前記UEが実行するトリガとなる、請求項1に記載の方法。
【請求項８】
ワイヤレス通信の方法であって、
ネットワークエンティティから測定コンフィギュレーションメッセージおよび測定目的メッセージをユーザ機器(UE)において受信するステップであって、前記測定コンフィギュレーションメッセージは、測定コンフィギュレーション識別子を含み、免許不要スペクトル上で通信するように構成され、前記ネットワークエンティティに知られていない1つまたは複数のWLANアクセスポイントを含む1つまたは複数のWLANアクセスポイントに対する測定を前記UEが実行するトリガとなる、ステップと、
前記測定目的メッセージに基づいて前記UEの測定コンフィギュレーションを決定するステップと、
前記UEの前記測定コンフィギュレーションの前記決定に基づいて、かつ前記測定コンフィギュレーションメッセージの受信に従って、前記免許不要スペクトル上で通信するように構成され、前記ネットワークエンティティに知られていない前記1つまたは複数のWLANアクセスポイントを含む前記1つまたは複数のWLANアクセスポイントに対する1つまたは複数の測定を実行するステップと
を含む方法。
【請求項９】
前記測定目的メッセージに基づいて前記UEの前記測定コンフィギュレーションを決定するステップは、
前記1つまたは複数の測定が1つまたは複数のロングタームエボリューション(LTE)WLANアグリゲーションまたはインターワーキング測定に対応すると判断するステップと、
前記UEのWi-Fi無線装置が関与していると判断するステップと
をさらに含み、
前記1つまたは複数のWLANアクセスポイントに対する前記1つまたは複数の測定を実行するステップは、前記1つまたは複数の測定が前記1つまたは複数のLTE WLANアグリゲーションまたはインターワーキング測定に対応するとの前記判断、および前記UEの前記Wi-Fi無線装置が関与しているとの前記判断に基づいて、前記1つまたは複数のWLANアクセスポイントに対するWLAN測定の実行を控えるステップをさらに含む、請求項8に記載の方法。
【請求項１０】
ワイヤレス通信の方法であって、
ユーザ機器(UE)からネットワークエンティティにUE能力メッセージおよび報告メッセージを送信するステップであって、前記UE能力メッセージは、前記UEが免許不要スペクトルで通信することが可能であるかどうかを示し、前記報告メッセージは、前記UEがワイドローカルエリアネットワーク(WLAN)測定をサポートするかどうかを示す、ステップと、
測定コンフィギュレーション識別子を含む測定コンフィギュレーションメッセージを受信するステップであって、前記測定コンフィギュレーションメッセージは、前記測定コンフィギュレーション識別子に基づいて、前記免許不要スペクトル上で通信するように構成され、前記ネットワークエンティティに知られていない1つまたは複数のWLANアクセスポイントを含む1つまたは複数のWLANアクセスポイントに対する測定を前記UEが実行するトリガとなる、ステップと、
前記測定コンフィギュレーション識別子に基づいて、かつ前記測定コンフィギュレーションメッセージの受信に従って、前記免許不要スペクトル上で通信するように構成され、前記ネットワークエンティティに知られていない前記1つまたは複数のWLANアクセスポイントを含む前記1つまたは複数のWLANアクセスポイントに対する1つまたは複数の測定を実行するステップと
を含む方法。
【請求項１１】
前記測定コンフィギュレーションメッセージは、前記測定コンフィギュレーション識別子に対応する前記UEの地理的エリア内の各WLANアクセスポイントに対する測定を前記UEが実行するトリガとなる、請求項10に記載の方法。
【請求項１２】
ユーザ機器(UE)からUE能力メッセージおよび報告メッセージをネットワークエンティティにおいて受信するためのコードであって、前記UE能力メッセージは、前記UEが免許不要スペクトルで通信することが可能であるかどうかを示し、前記報告メッセージは、前記UEがワイドローカルエリアネットワーク(WLAN)測定をサポートするかどうかを示す、コードと、
前記UE能力メッセージおよび前記報告メッセージに基づいて、前記UEが前記免許不要スペクトルで通信することが可能でありWLAN測定をサポートするかどうかを判断するためのコードと、
前記UEが前記免許不要スペクトルで通信することが可能でありWLAN測定をサポートするとの前記判断に従って、測定コンフィギュレーション識別子を含む測定コンフィギュレーションメッセージを前記UEに送信するためのコードであって、前記測定コンフィギュレーションメッセージは、前記測定コンフィギュレーション識別子に基づいて、前記免許不要スペクトル上で通信するように構成され、前記ネットワークエンティティに知られていない1つまたは複数のWLANアクセスポイントを含む1つまたは複数のWLANアクセスポイントに対する測定を前記UEが実行するトリガとなる、コードと
を含む、ワイヤレス通信のためのコンピュータ実行可能コードを記憶したコンピュータ可読記憶媒体。
【請求項１３】
ワイヤレス通信のための装置であって、
メモリと、
前記メモリに結合されたプロセッサであって、
ユーザ機器(UE)からUE能力メッセージおよび報告メッセージをネットワークエンティティにおいて受信することであって、前記UE能力メッセージは、前記UEが免許不要スペクトルで通信することが可能であるかどうかを示し、前記報告メッセージは、前記UEがワイドローカルエリアネットワーク(WLAN)測定をサポートするかどうかを示す、受信することと、
前記UE能力メッセージおよび前記報告メッセージに基づいて、前記UEが前記免許不要スペクトルで通信することが可能でありWLAN測定をサポートするかどうかを判断することと、
前記UEが前記免許不要スペクトルで通信することが可能でありWLAN測定をサポートするとの前記判断に従って、測定コンフィギュレーション識別子を含む測定コンフィギュレーションメッセージを前記UEに送信することであって、前記測定コンフィギュレーションメッセージは、前記測定コンフィギュレーション識別子に基づいて、前記免許不要スペクトル上で通信するように構成され、前記ネットワークエンティティに知られていない1つまたは複数のWLANアクセスポイントを含む1つまたは複数のWLANアクセスポイントに対する測定を前記UEが実行するトリガとなる、送信することと
を行うように構成されたプロセッサと
を含む装置。
【請求項１４】
ユーザ機器(UE)からネットワークエンティティにUE能力メッセージおよび報告メッセージを送信するためのコードであって、前記UE能力メッセージは、前記UEが免許不要スペクトルで通信することが可能であるかどうかを示し、前記報告メッセージは、前記UEがワイドローカルエリアネットワーク(WLAN)測定をサポートするかどうかを示す、コードと、
測定コンフィギュレーション識別子を含む測定コンフィギュレーションメッセージを受信するためのコードであって、前記測定コンフィギュレーションメッセージは、前記測定コンフィギュレーション識別子に基づいて、前記免許不要スペクトル上で通信するように構成され、前記ネットワークエンティティに知られていない1つまたは複数のWLANアクセスポイントを含む1つまたは複数のWLANアクセスポイントに対する測定を前記UEが実行するトリガとなる、コードと、
前記測定コンフィギュレーション識別子に基づいて、かつ前記測定コンフィギュレーションメッセージの受信に従って、前記免許不要スペクトル上で通信するように構成され、前記ネットワークエンティティに知られていない前記1つまたは複数のWLANアクセスポイントを含む前記1つまたは複数のWLANアクセスポイントに対する1つまたは複数の測定を実行するためのコードと
を含む、ワイヤレス通信のためのコンピュータ実行可能コードを記憶したコンピュータ可読記憶媒体。
【請求項１５】
ワイヤレス通信のための装置であって、
メモリと、
前記メモリに結合されたプロセッサであって、
ユーザ機器(UE)からネットワークエンティティにUE能力メッセージおよび報告メッセージを送信することであって、前記UE能力メッセージは、前記UEが免許不要スペクトルで通信することが可能であるかどうかを示し、前記報告メッセージは、前記UEがワイドローカルエリアネットワーク(WLAN)測定をサポートするかどうかを示す、送信することと、
測定コンフィギュレーション識別子を含む測定コンフィギュレーションメッセージを受信することであって、前記測定コンフィギュレーションメッセージは、前記測定コンフィギュレーション識別子に基づいて、前記免許不要スペクトル上で通信するように構成され、前記ネットワークエンティティに知られていない1つまたは複数のWLANアクセスポイントを含む1つまたは複数のWLANアクセスポイントに対する測定を前記UEが実行するトリガとなる、受信することと、
前記測定コンフィギュレーション識別子に基づいて、かつ前記測定コンフィギュレーションメッセージの受信に従って、前記免許不要スペクトル上で通信するように構成され、前記ネットワークエンティティに知られていない前記1つまたは複数のWLANアクセスポイントを含む前記1つまたは複数のWLANアクセスポイントに対する1つまたは複数の測定を実行することと
を行うように構成されたプロセッサと
を含む装置。